(57)【要約】      （修正有）【課題】太陽光の紫外線、可視光線および赤外線を効果的に遮り、かつ地表からの照り返しの太陽光の紫外線、可視光線及び赤外線が傘の凹面内側で反射しにくい日傘を提供する。【解決手段】日傘の外側凸面に、赤外線と可視光線と紫外線を遮断する傘布を用い、日傘内側凹面を黒色に着色するか又は黒色の層を設ける。【選択図】図１
0003176928.tif 000002
【実用新案登録請求の範囲】
【請求項１】
太陽光を遮る日傘であって、
前記日傘の傘布が、赤外線と可視光線と紫外線を１００パーセント遮断する傘布であることを特徴とする日傘。
【請求項２】
請求項１記載の日傘において、
前記日傘の傘布は、前記日傘の内側凹面が黒色に着色されていることを特徴とする日傘。
【請求項３】
請求項１記載の日傘において、
前記日傘の傘布は、前記日傘の外側凹面が前記赤外線と可視光線と紫外線を遮断する傘布からなる層であり、その内側凹面に黒色の層を設けるように構成されていることを特徴とする日傘。
【請求項４】
請求項１ないし請求項３のいずれかに記載の日傘において、
前記日傘の傘布は、防水コーティングが施されていることを特徴とする日傘。
【考案の詳細な説明】
【技術分野】
【０００１】
本考案は、太陽光を遮る日傘に関し、特に太陽光に含まれる紫外線、可視光線および赤外線を遮断する布を傘布とする日傘に関する。
【背景技術】
【０００２】
従来、単なる布からなる日傘では、太陽光に含まれる紫外線、可視光線および赤外線を十分に遮断することができず、使用者にとって種々の不都合を発生させるという問題があった。
【０００３】
このため、近年では、傘布として合成樹脂多層フィルムシートを有していたり、ナイロン高密度繊維よりなる傘布の表面に紫外線遮断及び熱遮断の機能を持つコーティング剤をコーティングしたものが用いられるようになってきている（特許文献１，２参照）。
【０００４】
すなわち、従来この種の日傘では、紫外線や可視光線を遮断するために、傘布を多層構造にしたり傘布にコーティング剤をコーティングしたりすることとしている。
【０００５】
また、そのような構成を取っても一定レベルの太陽光は傘布を通過するものとして、傘布の裏面を暗色にすることでその通過した太陽光が地表で反射して傘布の裏面に入射した光を吸収するものとしている（特許文献１参照）。
【先行技術文献】
【特許文献】
【０００６】
【特許文献１】特開２０１１−５６０７２号公報
【特許文献２】実用新案登録第３１４５２５８号公報
【考案の概要】
【考案が解決しようとする課題】
【０００７】
しかし、上述した従来の日傘では、紫外線、可視光線および赤外線のすべてを遮断する素材を採用していなかったので、日焼け、紫外線アレルギー、傘内のまぶしさおよび傘内の高温化のすべてを効率よく防止することが困難であった。
【０００８】
また、傘布として合成樹脂多層フィルムシートを有していたり、傘布に多機能のコーティング剤をコーティングしたりすることが必要なので、傘布が重くなり、傘全体の軽量化が不十分であるという問題があった。
【０００９】
特に、この種の日傘においては、上部からの太陽光だけ遮断するのではなく、傘布に遮られなかった太陽光が、傘の使用者の周囲の地表から反射して、傘布の内側で二次反射して使用者に悪影響を及ぼすことも十分に防止したいという要求に応えることができることも要望されている。
【００１０】
本考案はこのような事情に鑑みてなされたものであり、日傘の傘布として、赤外線と可視光線と紫外線を１００パーセント遮断する傘布を備えることにより、上空から降り注ぐ太陽光に含まれる紫外線、可視光線及び赤外線の遮断が可能となるとともに、日傘内側凹面を黒色に着色するか又は黒色の層を設けることにより、地表から反射して日傘の内側凹面に達した太陽光を吸収し、日傘の内側凹面における太陽光の二次反射を防ぐことが可能となるように構成することで、太陽光の紫外線、可視光線および赤外線を効果的に遮り、かつ地表からの照り返しの太陽光の紫外線、可視光線及び赤外線が傘の凹面内側で反射しにくい日傘であって比較的軽量のものを得ることを目的とする。
【課題を解決するための手段】
【００１１】
このような目的に応えるために本考案（請求項１記載の考案）に係る日傘は、前記日傘の傘布が、赤外線と可視光線と紫外線を１００パーセント遮断する傘布であることを特徴とする。
【００１２】
本考案（請求項２記載の考案）に係る日傘は、請求項１記載の日傘の傘布は、前記日傘の内側凹面が黒色に着色されていることを特徴とする。
【００１３】
本考案（請求項３記載の考案）に係る日傘は、前記日傘の外側凹面が前記赤外線と可視光線と紫外線を遮断する傘布からなる層であり、その内側凹面に黒色の層を設けるように構成されていることを特徴とする。
【００１４】
本考案（請求項４記載の考案）に係る日傘は、請求項１ないし請求項３のいずれかに記載の日傘において、前記日傘の傘布は、防水コーティングが施さされていることを特徴とする
【考案の効果】
【００１５】
以上説明したように本考案に係る日傘によれば、太陽光に含まれる紫外線を１００パーセント遮断することで使用者が日焼けや紫外線アレルギーという被害を受けることを防止し、可視光線を遮断することで使用者がまぶしさを感じにくくなり視界が良好となりストレスを感じることを防止し、赤外線を遮断することで日傘内部の温度上昇を抑制し使用者が涼しい使用感を得ることができる上に熱中症の発症を防止することができ、傘布の層を多くとも２層とした比較的軽量の日傘を得ることができる。
【００１６】
また、本考案によれば、日傘の内部凹面を黒色に着色するか黒色の層を設けることにより、傘布を通過しなくても周囲の地表から上向きに反射した太陽光が傘の内部凹面で吸収され、太陽光の二次反射により使用者に紫外線、可視光線及び赤外線による害が発生することを防止することができる。
【００１７】
さらに、本考案によれば、日傘の傘布に防水コーティングを施すことにより雨傘としても使用することができる。
【図面の簡単な説明】
【００１８】
【図１】本考案に係る日傘の一実施形態を示す斜視図である。
【考案を実施するための形態】
【００１９】
図１は本考案に係る日傘の一実施形態を示すものであり、この図において、この実施形態では、日傘１０を太陽光を遮るために開いた状態とした場合を説明する。
【００２０】
これを簡単に説明すると、符号１０は日傘として、太陽光に含まれる紫外線、可視光線および赤外線を１００パーセント遮断する機能を有する布からなる傘布２０と、傘軸３０と、傘軸３０の一端に接合された親骨３１と、親骨３１を支持する支骨３２と、傘軸３０に摺動可能に外嵌された轆轤３３と傘軸３０の親骨と接合されていない一端に接合された握柄３４とによって構成されており、傘布２０は親骨３１に張着されており、支骨３２は轆轤３３に接合されている。
【００２１】
ここで、上述した傘布２０は、その内側凹面２１が黒色に着色されている。
【００２２】
以上の構成によれば、上空から降り注ぐ太陽光を傘布２０で遮ることができ、また、地表で上向きに反射した太陽光が日傘１０の内側凹面２１で二次反射するのを防ぐことができる。
【００２３】
したがって、このような太陽光に含まれる紫外線、可視光線および赤外線を遮断する機能を有する布からなる傘布２０を備える日傘１０によれば、太陽光に含まれる紫外線を遮断することで使用者が日焼けや紫外線アレルギーという被害を受けることを防止し、可視光線を遮断することで使用者がまぶしさを感じにくくなり視界が良好となりストレスを感じることを防止し、赤外線を遮断することで日傘内部の温度上昇を抑制し使用者が涼しい使用感を得ることができる上に熱中症の発症を防止することができる。
【００２４】
また、このような日傘１０によれば、内部凹面を黒色に着色するか黒色の層を設けることにより、地表から上向きに反射した太陽光が傘の内部凹面で吸収され、太陽光の二次反射により使用者に紫外線、可視光線及び赤外線による害が発生することを防止することができる等といった利点がある。
【００２５】
また、傘布２０の外側凸面２２に防水コーティングを施すことにより、雨傘としても使用することができる。
【００２６】
なお、本考案は上述した実施の形態で説明した構造には限定されず、各部の形状、構造等を適宜変形、変更し得ることはいうまでもない。例えば、折り畳み傘として使用できるように親骨や傘軸の構造を変更することができるものとする。
【符号の説明】
【００２７】
１０  日傘
２０  傘布
２１  傘布の内側凹面
２２  傘布の外側凸面
３０  傘軸
３１  親骨
３２  支骨
３３  轆轤
３４  握柄
【図１】
0003176928.tif 000003
【手続補正書】
【提出日】平成24年5月11日(2012.5.11)
【手続補正１】
【補正対象書類名】明細書
【補正対象項目名】全文
【補正方法】変更
【補正の内容】
【考案の詳細な説明】
【技術分野】
【０００１】
本考案は、太陽光を遮る日傘に関し、特に太陽光に含まれる紫外線、可視光線および赤外線を遮断する布を傘布とする日傘に関する。
【背景技術】
【０００２】
従来、単なる布からなる日傘では、太陽光に含まれる紫外線、可視光線および赤外線を十分に遮断することができず、使用者にとって種々の不都合を発生させるという問題があった。
【０００３】
このため、近年では、傘布として合成樹脂多層フィルムシートを有していたり、ナイロン高密度繊維よりなる傘布の表面に紫外線遮断及び熱遮断の機能を持つコーティング剤をコーティングしたものが用いられるようになってきている（特許文献１，２参照）。
【０００４】
すなわち、従来この種の日傘では、紫外線や可視光線を遮断するために、傘布を多層構造にしたり傘布にコーティング剤をコーティングしたりすることとしている。
【０００５】
また、そのような構成を取っても一定レベルの太陽光は傘布を通過するものとして、傘布の裏面を暗色にすることでその通過した太陽光が地表で反射して傘布の裏面に入射した光を吸収するものとしている（特許文献１参照）。
【先行技術文献】
【特許文献】
【０００６】
【特許文献１】特開２０１１−５６０７２号公報
【特許文献２】実用新案登録第３１４５２５８号公報
【考案の概要】
【考案が解決しようとする課題】
【０００７】
しかし、上述した従来の日傘では、紫外線、可視光線および赤外線のすべてを遮断する素材を採用していなかったので、日焼け、紫外線アレルギー、傘内のまぶしさおよび傘内の高温化のすべてを効率よく防止することが困難であった。
【０００８】
また、傘布として合成樹脂多層フィルムシートを有していたり、傘布に多機能のコーティング剤をコーティングしたりすることが必要なので、傘布が重くなり、傘全体の軽量化が不十分であるという問題があった。
【０００９】
特に、この種の日傘においては、上部からの太陽光だけ遮断するのではなく、傘布に遮られなかった太陽光が、傘の使用者の周囲の地表から反射して、傘布の内側で二次反射して使用者に悪影響を及ぼすことも十分に防止したいという要求に応えることができることも要望されている。
【００１０】
本考案はこのような事情に鑑みてなされたものであり、日傘の傘布として、赤外線と可視光線と紫外線を１００パーセント遮断する傘布を備えることにより、上空から降り注ぐ太陽光に含まれる紫外線、可視光線及び赤外線の遮断が可能となるとともに、日傘内側凹面を黒色に着色するか又は黒色の層を設けることにより、地表から反射して日傘の内側凹面に達した太陽光を吸収し、日傘の内側凹面における太陽光の二次反射を防ぐことが可能となるように構成することで、太陽光の紫外線、可視光線および赤外線を効果的に遮り、かつ地表からの照り返しの太陽光の紫外線、可視光線及び赤外線が傘の凹面内側で反射しにくい日傘であって比較的軽量のものを得ることを目的とする。
【課題を解決するための手段】
【００１１】
このような目的に応えるために本考案（請求項１記載の考案）に係る日傘は、前記日傘の傘布が、赤外線と可視光線と紫外線を１００パーセント遮断する傘布であることを特徴とする。
【００１２】
本考案（請求項２記載の考案）に係る日傘は、請求項１記載の日傘の傘布は、前記日傘の内側凹面が黒色に着色されていることを特徴とする。
【００１３】
本考案（請求項３記載の考案）に係る日傘は、前記日傘の外側凸面が前記赤外線と可視光線と紫外線を遮断する傘布からなる層であり、その内側凹面に黒色の層を設けるように構成されていることを特徴とする。
【００１４】
本考案（請求項４記載の考案）に係る日傘は、請求項１ないし請求項３のいずれかに記載の日傘において、前記日傘の傘布は、防水コーティングが施されていることを特徴とする
【考案の効果】
【００１５】
以上説明したように本考案に係る日傘によれば、太陽光に含まれる紫外線を１００パーセント遮断することで使用者が日焼けや紫外線アレルギーという被害を受けることを防止し、可視光線を遮断することで使用者がまぶしさを感じにくくなり視界が良好となりストレスを感じることを防止し、赤外線を遮断することで日傘内部の温度上昇を抑制し使用者が涼しい使用感を得ることができる上に熱中症の発症を防止することができ、傘布の層を多くとも２層とした比較的軽量の日傘を得ることができる。
【００１６】
また、本考案によれば、日傘の内部凹面を黒色に着色するか黒色の層を設けることにより、傘布を通過しなくても周囲の地表から上向きに反射した太陽光が傘の内部凹面で吸収され、太陽光の二次反射により使用者に紫外線、可視光線及び赤外線による害が発生することを防止することができる。
【００１７】
さらに、本考案によれば、日傘の傘布に防水コーティングを施すことにより雨傘としても使用することができる。
【図面の簡単な説明】
【００１８】
【図１】本考案に係る日傘の一実施形態を示す斜視図である。
【考案を実施するための形態】
【００１９】
図１は本考案に係る日傘の一実施形態を示すものであり、この図において、この実施形態では、日傘１０を太陽光を遮るために開いた状態とした場合を説明する。
【００２０】
これを簡単に説明すると、符号１０は日傘として、太陽光に含まれる紫外線、可視光線および赤外線を１００パーセント遮断する機能を有する布からなる傘布２０と、傘軸３０と、傘軸３０の一端に接合された親骨３１と、親骨３１を支持する支骨３２と、傘軸３０に摺動可能に外嵌された轆轤３３と傘軸３０の親骨と接合されていない一端に接合された握柄３４とによって構成されており、傘布２０は親骨３１に張着されており、支骨３２は轆轤３３に接合されている。
【００２１】
ここで、上述した傘布２０は、その内側凹面２１が黒色に着色されている。
【００２２】
以上の構成によれば、上空から降り注ぐ太陽光を傘布２０で遮ることができ、また、地表で上向きに反射した太陽光が日傘１０の内側凹面２１で二次反射するのを防ぐことができる。
【００２３】
したがって、このような太陽光に含まれる紫外線、可視光線および赤外線を遮断する機能を有する布からなる傘布２０を備える日傘１０によれば、太陽光に含まれる紫外線を遮断することで使用者が日焼けや紫外線アレルギーという被害を受けることを防止し、可視光線を遮断することで使用者がまぶしさを感じにくくなり視界が良好となりストレスを感じることを防止し、赤外線を遮断することで日傘内部の温度上昇を抑制し使用者が涼しい使用感を得ることができる上に熱中症の発症を防止することができる。
【００２４】
また、このような日傘１０によれば、内部凹面を黒色に着色するか黒色の層を設けることにより、地表から上向きに反射した太陽光が傘の内部凹面で吸収され、太陽光の二次反射により使用者に紫外線、可視光線及び赤外線による害が発生することを防止することができる等といった利点がある。
【００２５】
また、傘布２０の外側凸面２２に防水コーティングを施すことにより、雨傘としても使用することができる。
【００２６】
なお、本考案は上述した実施の形態で説明した構造には限定されず、各部の形状、構造等を適宜変形、変更し得ることはいうまでもない。例えば、折り畳み傘として使用できるように親骨や傘軸の構造を変更することができるものとする。
【符号の説明】
【００２７】
１０  日傘
２０  傘布
２１  傘布の内側凹面
２２  傘布の外側凸面
３０  傘軸
３１  親骨
３２  支骨
３３  轆轤
３４  握柄
【手続補正２】
【補正対象書類名】実用新案登録請求の範囲
【補正対象項目名】全文
【補正方法】変更
【補正の内容】
【実用新案登録請求の範囲】
【請求項１】
太陽光を遮る日傘であって、
前記日傘の傘布が、赤外線と可視光線と紫外線を１００パーセント遮断する傘布であることを特徴とする日傘。
【請求項２】
請求項１記載の日傘において、
前記日傘の傘布は、前記日傘の内側凹面が黒色に着色されていることを特徴とする日傘。
【請求項３】
請求項１記載の日傘において、
前記日傘の傘布は、前記日傘の外側凸面が前記赤外線と可視光線と紫外線を遮断する傘布からなる層であり、その内側凹面に黒色の層を設けるように構成されていることを特徴とする日傘。
【請求項４】
請求項１ないし請求項３のいずれかに記載の日傘において、
前記日傘の傘布は、防水コーティングが施されていることを特徴とする日傘。